(57)【要約】【課題】栽培温度に応じて培地上面の乾燥を抑制した茸栽培方法及びこの茸栽培方法用の構成及び作製が簡単で低価格な茸栽容器を提供すること。【解決手段】内部が培地充填部Ａと空き空間部Ｂとに区分された茸栽培容器１Ｂを用いて茸を栽培する茸栽培方法において、茸栽培容器１Ｂとして、空間部Ｂに培地充填部Ａ区分からの距離が異なる位置にサイズが異なるフィルター２Ａ１〜２Ａ３を設けた複数種類の茸栽培容器１Ｂを用意し、茸栽培の栽培温度対応して、乾燥温度が低い条件下ではフィルターのサイズを小さくして培地充填部Ａとの区分に近い位置に設けたものを選定し、栽培温度が高くなるに従って、栽培温度が低温下用のものよりも、フィルターのサイズを大きくし、しかも、培地充填部Ａとの区分から離れた位置にフィルターを設けたものを選定し、茸を栽培する。【選択図】図８
2015006208.tif 000002
【特許請求の範囲】
【請求項１】
内部が培地充填部と空き空間部とに区分された茸栽培容器を用い、前記茸栽培容器内に前記培地充填部まで培地を充填して、定法の殺菌又は滅菌、接種及び培養工程などの栽培工程を経て茸を栽培する茸栽培方法において、
前記茸栽培容器として、前記空間部に前記培地充填部との区分からの距離が異なる位置にサイズが異なるフィルターを設けた複数種類の茸栽培容器を用意し、
茸の栽培環境の栽培温度に対応して、
前記栽培温度が低温下では前記フィルターのサイズを小さくして前記培地充填部との区分に近い位置に設けたものを選定し、
前記栽培温度が高くなるに従って、前記栽培温度が低温下用のものよりも、前記フィルターのサイズを大きくし、しかも、前記培地充填部との区分から離れた位置に前記フィルターを設けたものを選定し、
前記栽培工程で茸を栽培することを特徴とする茸栽培方法。
【請求項２】
請求項１に記載の茸栽培方法で使用するための複数種類の茸栽培容器であって、
前記複数種類の茸栽培容器は、所定の底面積を有する底部と、前記底部の周囲から所定の高さに立設された側壁と、前記側壁の上端が開口し茸栽培時に封止される封止部とを備え、
内部が前記底部から所定高さまでが培地が充填される培地充填部と前記培地充填部の上方が空間となる空間部とに区分されて、前記側壁の少なくとも一側壁には前記培地充填部との区分から前記開口へ向かって所定距離離れた位置に所定大きさに通気孔が穿孔され、前記通気孔が前記フィルターで塞がれる構成を備えたものであり、
前記複数種類の茸栽培容器は、茸栽培の栽培環境の栽培温度に対応して、
前記栽培温度が１５〜１６℃用のものは、前記培地充填部の区分から前記通気孔の中心までの距離が２〜７ｃｍ離れた位置に前記フィルターの面積が３１４〜９６２ｍｍ２のものを設けたものからなり、
前記栽培温度が１６℃を超え２０℃未満用のものは、前記培地充填部の区分から２〜７ｃｍを超えた位置に前記フィルターの面積が前記栽培温度が１５〜１６℃用のものの面積より大きくしたものからなり、
前記栽培温度が２０℃を超え２５℃未満用のものは、前記栽培温度が１６℃を超え２０℃未満用のものからさらに離れた位置に、前記フィルターの面積が前記栽培温度が１６℃を超え２０℃未満用のものの面積より大きくしたものを設けたものからなることを特徴とする茸栽培容器。
【請求項３】
前記フィルターのサイズは、前記栽培温度が１６℃を超え２０℃未満用のものは９６２ｍｍ２を超え１２５６ｍｍ２未満であり、前記栽培温度が２０℃を超え２５℃未満用のものは１２５６ｍｍ２を超え１９６３ｍｍ２であることを特徴とする請求項２に記載の茸栽培容器。
【請求項４】
前記複数種類の茸栽培容器は、同じサイズで、２．５ｋｇ〜２．８ｋｇの培地が充填される大きさであることを特徴とする請求項２又は３に記載の茸栽培容器。
【請求項５】
前記通気孔の開孔は、円形、楕円、矩形又は角形状であることを特徴とする請求項２〜４のいずれかに記載の茸栽培容器。
【請求項６】
前記栽培容器は、フィルム材からなる袋体で形成されていることを特徴とする請求項２〜５のいずれかに記載の茸栽培容器。
【発明の詳細な説明】
【技術分野】
【０００１】
この発明は、茸栽培方法及び茸栽培容器に係り、さらに詳しくはサイズが異なるフィルターをそれぞれ異なる位置に装着した複数種類の茸栽培容器を用いた茸栽培方法及びこのキノコ栽培方法に使用する茸栽培容器に関するものである。
【背景技術】
【０００２】
近年、椎茸、舞茸，しめじ、なめこなどの茸は、自然採取から人工的に栽培する人工栽培へと移行している。これらの人工栽培のうち、椎茸の栽培は、これまでがコナラ、ミズナラ、クヌギなどの木々を所定の長さに切断した原木を使用して、この原木に椎茸菌を植え込んで栽培する原木栽培であった。しかし、この原木栽培は、もっぱら屋外となるのでその時々の気象条件並びに病害虫及び有害菌などの影響を受けて安定した収穫が確保し難いことから、近年は、屋内において椎茸栽培に適合した環境を調えて、この環境下で栽培する菌床栽培へと移行して来ている。
【０００３】
この菌床栽培は、オガコなどの基材に米ぬかなどの栄養体を加えて培地を調整する培地調整工程、この調整した培地を所定大きさの栽培容器に詰める容器詰め工程、この容器に詰めた培地を殺菌又は滅菌釜に入れて殺菌又は滅菌する殺菌工程、この培地に雑菌が入らないように冷却した後に椎茸菌を接種する接種工程、温湿度を調節しながら数週間掛けて培養する培養工程、その後、栽培容器から菌床を取出して、温湿度を調節して菌床を培養しながら椎茸を発生させ育成する発生・育成工程及び育成した椎茸を収穫する収穫工程などの工程を経る栽培となっている。ここで使用される栽培容器は、概ね所定大きさの栽培瓶或いは栽培袋が使用されている。以下、栽培袋を用いた例を説明する。
【０００４】
この栽培工程では、培養工程において栽培袋内の菌床から二酸化炭素が発生するので、この二酸化炭素を逐次外部へ放出させつつ代わって内部へ新鮮な空気（酸素）を供給する換気が必要となることから、栽培袋にはこの換気機能を備えた特殊なフィルターが取付けられている。そして、この二酸化炭素の放出及び酸素の供給がそれぞれの茸の栽培に適合した量で行えるか否かが茸の育成・品質、栽培期間及び収穫などに大きな影響を与えるので、この二酸化炭素の放出及び酸素の供給が良好に行えるように工夫した栽培袋及び栽培方法がこれまで多く考案されている。
【０００５】
まず、栽培袋に関しては、例えば下記特許文献１には袋体の一方の面に径２８ｍｍの空気孔を穿設して、この空気孔にフィルターを取付けた栽培袋が開示されている。また、下記特許文献２に開示された栽培袋は、底部及び袋口付近にそれぞれフィルターを取付けたものである。これら底部及び袋口のフィルターの直径は２５ｍｍとなっている。この茸栽培袋を用いると、栽培袋は底部及び袋口付近にそれぞれフィルターが取付けられるので、これらのフィルターを介して供給される酸素量が増大し、その結果、菌糸の蔓延及び原基形成が速まり培養期間の短縮ができるとされている。さらに、下記特許文献３に開示された栽培袋は、空気を通過し雑菌の通過を遮断するフィルター部材と、このフィルター部材の他に水蒸気を放出し滅菌終了後容易に封鎖する水蒸気放出孔を設けたものである。さらにまた、下記特許文献４に開示された栽培用袋体は、微細な有底凹部を袋体の全表面に設けたものである。この栽培用袋体は、袋体全体が通気性を有したものになっている。
【０００６】
次に、栽培法に関しては、例えば下記特許文献５には、図１４に示すように、培地を充填した培養容器１０の上端開口を閉じて培養を行うに際して、培地上方に通気孔を有する空間１１を設け、この空間を容積比で培地容積１００に対し６〜２０にして培養する培養法が開示されている。この培養法では、培養容器１０に設ける通気孔の位置は空間１１の略頂点が好ましく、それ以外の位置、すなわち、図１４の（ａ）、（ｂ）、（ｃ）は菌糸伸張の妨げになるので好ましくないとされている。また、下記特許文献６には、培地上面の乾燥を少なくするために、この培地上面を遮蔽物で覆って栽培する栽培方法が記載されている。この栽培方法は、栽培袋と、この栽培袋内に収容できる大きさのシート状遮蔽物とを用い、栽培中に培地上面をシート状遮蔽物で覆って栽培するようになっている。
【先行技術文献】
【特許文献】
【０００７】
【特許文献１】特開平４−７１４２２号公報（第４頁下段右欄、図１）
【特許文献２】特開平６−１４１６７７号公報（段落〔００１５〕〜〔００１８〕）
【特許文献３】特開平８−２９８８６２号公報（段落〔００１９〕、〔００２０〕、図１）
【特許文献４】特開平９−５１７２３号公報（段落〔００１６〕、〔００１７〕、図１）
【特許文献５】特開平９−９８６６３号公報（段落〔０００７〕、〔００１６〕、図２）
【特許文献６】特開２００８−２７１９１８号公報（段落〔００４４〕、〔００４５〕、図５）
【発明の概要】
【発明が解決しようとする課題】
【０００８】
上記特許文献１〜４の栽培袋は、それぞれ特有の構成を備えそれらの構成によってそれぞれ固有の作用効果を奏するものとなっている。しかしながら、これらの栽培袋はいくつかの課題が潜在している。例えば上記特許文献２の栽培袋では、底部及び袋口付近にそれぞれフィルターを取付けなければならないので、フィルターの数が多くなり、その取付け作業も面倒で工数が掛かり、コスト高になる。また、上記特許文献３のものは、フィルター以外に水蒸気放出孔を設けなければならないので、袋体の構成が複雑になる。さらに上記特許文献４のものは、袋体全体に有底凹部を設けなければならないので、この袋体の作製には特殊な製造装置が必要となり、しかも、袋体の二酸化炭素の放出及び酸素の供給量の調節・管理が面倒なものとなる。また、これら特許文献１〜４の栽培袋の最も大きな課題は、フィルターの大きさとその取付け位置との関係が特定されていないことである。
【０００９】
すなわち、栽培袋を用いた茸栽培は、上記したように袋体内の二酸化炭素の放出及び酸素の供給がスムーズに行えるか否かが茸の育成・品質、栽培期間及び収穫などに大きな影響を与えるので、この二酸化炭素の放出及び酸素の供給を良好にするには、茸の栽培環境に対応して、フィルターの大きさ（サイズ）及びそのサイズに合わせて該フィルターを何処に取付けるかが重要になる。この重要性に鑑みて、上記特許文献５には、通気孔の取付け位置について、培養容器１０の通気孔１２の位置は空間１１の略頂点が好ましくそれ以外の位置、すなわち、図１４の（ａ）、（ｂ）、（ｃ）が好ましくないとされている。その理由としては以下の点が示されている。
（１）通気孔１２を空間１１の中間位置（ａ）にすると、培養中期から通気孔１２の周辺と培地上面の菌糸上に水滴が付き、通気孔１２よりも上部に結露した水滴が通気孔１２へ流下し、通気孔が濡れて通気性を悪くするとともに、害菌汚染の原因となり易くなること。
（２）同じく、菌糸上に過度に水滴が付着すると、呼吸作用により生じた熱が空間１１内に上昇するのが妨げられて培地温度が上昇して温度管理し難くなること。
（３）また、通気孔１２を培地上面付近（ｂ）にすると、培養初期には培地内に含まれる水と菌糸の呼吸水によって通気孔に水滴が付着し害菌汚染が生じ易くなること。その結果として、培養後期には、通気孔付近に菌糸が伸張し、通気孔１２が塞がれたり、空間１１の空気交換不足により培地上面の菌糸上に過剰量の水滴が付着し、害菌に汚染され易くなったり、呼吸熱が停滞して培地温度が上昇し易くなること。
（４）さらに、通気孔を培地の充填部分（ｃ）にすると、上記（ｂ）位置と同様の問題が生じ易くなるとされていること。
【００１０】
この特許文献５に指摘されているように、通気孔の位置が重要となると共に、この位置だけでなくその大きさ（サイズ）も重要なものとなる。しかしながら、この特許文献５には、培養容器の通気孔の位置は空間の略頂点が好ましいとされているが、培養容器は使用時には上部が封止されるため、頂点に近づけば近づくほど空間が狭くなる。さらに、培養容器の形状によれ頂点近傍は通気孔が設けられた面と反対側の面とが接近しすぎてしまい、全く空間がない状態も起こりうる。すると、培養容器内の空気の循環を妨げてしまうこととなる。なお、特許文献５には通気孔の大きさ（サイズ）については何ら言及されていない。茸の人工栽培は、概ね自然環境に近い条件で栽培する自然栽培と、空調設備などを設置して人工的な環境下で栽培する促成栽培（短期栽培とも言われている）とに大別され、これらの栽培法であっても、さらに細分化されて、自然栽培にあっては、例えば春仕込みの秋発生型、或いは春仕込みの冬発生型などがあり、また促成栽培では同様の春仕込み秋・冬発生型などの他に発生期を速め或いは遅らせるなどの栽培法がある。そして、これらの栽培法は栽培環境（条件）が同じでなく、それぞれの栽培法及び型により最適な栽培環境（条件）があり、栽培に際しては、これらの最適な管理が必要となる。この栽培環境（条件）の管理は、栽培法だけでなく菌の種類によっても、それらの菌種に適合する栽培環境（条件）にする必要がある。
【００１１】
この栽培環境（条件）は、また、四季、すなわち春夏秋冬のシーズンによっても大幅に変化する。例えば夏期と冬期とでは外気温度が大幅に異なり、夏期においては、日中の最高温度が３５℃或いはこの温度を超える日が何日も続くことがある。このような高温環境下では、原基形成が低温時に比べてより活発になり、それにより大量の二酸化炭素及び熱が栽培袋内で発生し、この栽培袋内が茸培養にとって極めて過酷な環境となり、茸栽培においてはこの過酷な環境の緩和及び解消し適合する環境にすることが最も重要になる。しかしながら、この過酷環境の緩和などは、主に栽培袋に装着するフィルターによって行うことになるが、従来技術（例えば上記特許文献１〜５に記載された技術）では解決できない。すなわち、上記特許文献１、２の栽培袋は直径２８ｍｍ、２５ｍｍのフィルターが装着されたものとなっているが、この大きさではシーズンの最も過酷な環境条件を緩和（解消）することができない。この過酷環境が緩和（解消）されないと、菌床にカビなどが発生して原基形成が妨げられ、或いは発生・育成されても、初回の発生量が極端に少なく、品質も落ち、所望の収穫量を確保できなくなる。この対策として、フィルターのサイズを大きくすることが考えられるが、フィルターのサイズを大きくすると、今度は通気量（換気量）が多くなって菌床上面の乾燥が速くなり上面で栽培する上面栽培の障害となる。なお、この乾燥を防止する方法として、上記特許文献６のように栽培中に培地上面をシート状遮蔽物で覆う方法があるが、この方法を採用するには特別なシート状遮蔽物が必要となり、しかも栽培作業の工数が増えることになる。
【００１２】
そこで、本願の発明者は、茸の栽培環境が人工栽培であってもシーズンによって大幅に環境が変化し、この環境変化に対応できるとともに、菌の種類及び各種の栽培法に適合する栽培環境に合う栽培法を試行錯誤しながら究明したところ、栽培環境に適応したフィルターの装着位置を所定の位置に備えた栽培容器を使用すること、さらにフィルターの装着位置だけでなくフィルターのサイズを変更した栽培容器を使用すれば上記の課題を解消できることを見出して、本発明を完成させるに至ったものである。
【００１３】
この発明の目的は、栽培環境に応じて培地上面の乾燥を抑制した、サイズが異なるフィルターをそれぞれ異なる位置に装着した複数種類の茸栽培容器を用いた茸栽培方法を提供することにある。さらに、本発明の他の目的は、上記茸栽培方法用の構成及び作製が簡単で低価格な茸栽容器を提供することにある。
【課題を解決するための手段】
【００１４】
上記目的を達成するために、請求項１に記載の茸栽培方法は、
内部が培地充填部と空き空間部とに区分された茸栽培容器を用い、前記茸栽培容器内に前記培地充填部まで培地を充填して、定法の殺菌又は滅菌、接種及び培養工程などの栽培工程を経て茸を栽培する茸栽培方法において、
前記茸栽培容器として、前記空間部に前記培地充填部区分からの距離が異なる位置にサイズが異なるフィルターを設けた複数種類の茸栽培容器を用意し、
茸の栽培環境の栽培温度に対応して、
前記栽培温度が低温下では前記フィルターのサイズを小さくして前記培地充填部との区分に近い位置に設けたものを選定し、
前記栽培温度が高くなるに従って、前記栽培温度が低温下用のものよりも、前記フィルターのサイズを大きくし、しかも、前記培地充填部との区分から離れた位置に前記フィルターを設けたものを選定し、
前記栽培工程で茸を栽培することを特徴とする。
【００１５】
さらに、請求項２に記載の茸栽培容器の発明は、
請求項１に記載の茸栽培方法で使用するための複数種類の茸栽培容器であって、
前記複数種類の茸栽培容器は、所定の底面積を有する底部と、前記底部の周囲から所定の高さに立設された側壁と、前記側壁の上端が開口し茸栽培時に封止される封止部とを備え、
内部が前記底部から所定高さまでが培地が充填される培地充填部と前記培地充填部の上方が空間となる空間部とに区分されて、前記側壁の少なくとも一側壁には前記培地充填部との区分から前記開口へ向かって所定距離離れた位置に所定大きさ通気孔が穿孔され、前記通気孔が前記フィルターで塞がれる構成を備えたものであり、
前記複数種類の茸栽培容器は、茸栽培の栽培環境の栽培温度に対応して、
前記栽培温度が１５〜１６℃用のものは、前記培地充填部の区分から前記通気孔の中心までの距離が２〜７ｃｍ離れた位置に前記フィルターの面積が３１４〜９６２ｍｍ２のものを設けたものからなり、
前記栽培温度が１６℃を超え２０℃未満用のものは、前記培地充填部の区分から２〜７ｃｍを超えた位置に前記フィルターの面積が前記栽培温度が１５〜１６℃用のものの面積より大きくしたものからなり、
前記栽培温度が２０℃を超え２５℃未満用のものは、前記栽培温度が１６℃を超え２０℃未満用のものからさらに離れた位置に、前記フィルターの面積が前記栽培温度が１６℃を超え２０℃未満用のものの面積より大きくしたものを設けたものからなることを特徴とする。
【００１６】
また、請求項３に記載の発明は、請求項２に記載の茸栽培容器において、前記フィルターのサイズは、前記栽培温度が１６℃を超え２０℃未満用のものは９６２ｍｍ２を超え１２５６ｍｍ２未満であり、前記栽培温度が２０℃を超え２５℃未満用のものは１２５６ｍｍ２を超え１９６３ｍｍ２であることを特徴とする。
【００１７】
また、請求項４に係る発明は、請求項２又は３に記載の茸栽培容器において、前記複数種類の茸栽培容器は、同じサイズで、２．５ｋｇ〜２．８ｋｇの培地が充填される大きさであることを特徴とする。
【００１８】
また、請求項５に係る発明は、請求項２〜４のいずれかに記載の茸栽培容器において、前記通気孔の開孔は、円形、楕円、矩形又は角形状であることを特徴とする。
【００１９】
また、請求項６に係る発明は、請求項２〜５のいずれかに記載の茸栽培容器において、前記栽培容器は、フィルム材からなる袋体で形成されていることを特徴とする。
【発明の効果】
【００２０】
本発明は、上記構成を備えることにより、以下に示す優れた効果を奏する。すなわち、すなわち、請求項１の発明によれば、茸の栽培環境における乾燥温度に対応して、サイズが異なりフィルターの位置が異なる茸栽培容器を選択して、良好な栽培環境で茸を栽培することができる。特に、乾燥しやすい栽培環境下においても培地上面を乾燥させることなく栽培容器内の環境を良好にして上面栽培による培養、発芽及び育成ができる。また、従来技術のように、上面シートなどが不要になり、コスト安になると共に、このシートを扱う工数も不要となる。
【００２１】
また、請求項２〜６の茸栽培容器の発明によれば、フィルターのサイズを変更するだけで請求項１の茸栽培方法用の栽培温度に適合できる栽培容器を簡単に、かつ安価に作製できるようになる。
【図面の簡単な説明】
【００２２】
【図１】図１は本発明の参考例に係る栽培容器（栽培袋）を示し、図１Ａは栽培袋の斜視図、図１Ｂは図１Ａの栽培袋に培地を充填して袋口を封止した状態の斜視図である。
【図２】図２は図１Ａのフィルターを取付ける側壁の側面図である。
【図３】図３は参考例で使用した直径３５ｍｍ(面積９６２ｍｍ２）のフィルターの実験データである。
【図４】図４は図３で得た実験データをグラフ化した図であり、図４Ａは図３に示す重量の平均値を表したグラフであり、図４Ｂは図３に示す重量の変化率を重量比として表したグラフである。
【図５】図５は参考例の栽培袋を使用した椎茸栽培の工程図である。
【図６】図６は参考例の栽培袋の変形例を示した図であり、図６Ａは栽培袋の斜視図、図５Ｂは図５Ａの栽培袋に培地を充填して袋口を封止した状態の斜視図である。
【図７】図７は参考例の栽培袋の他の変形例を示した図であり、図７Ａは栽培袋の斜視図、図７Ｂは図７Ａの栽培袋に培地を充填して袋口を封止した状態の斜視図である。
【図８】図８は本発明の実施形態に係る栽培容器（栽培袋）を示し、図８Ａは栽培袋の斜視図、図８Ｂは図８Ａの栽培袋に培地を充填して袋口を封止した状態の斜視図である。
【図９】図９は図８Ａのフィルターを取付ける側壁の側面図である。
【図１０】図１０は異なる大きさのフィルターが設けられた栽培袋の斜視図である。
【図１１】図１１は実施形態で使用した直径５０ｍｍ(面積１９６３ｍｍ２）のフィルターの実験データである。
【図１２】図１２は図１１で得た実験データをグラフ化した図であり、図１２Ａは図１１の重量の平均値を表したグラフであり、図１２Ｂは図１１の重量の変化率を重量比として表したグラフである。
【図１３】図１３は図８の栽培袋を使用した椎茸栽培の工程図である。
【図１４】図１４は従来技術の培養容器を示し、図１４Ａは培養容器の斜視図、図１４Ｂは図１４Ａの培養容器の縦断面図である。
【発明を実施するための形態】
【００２３】
以下、図面を参照して本発明の最良の実施形態を説明する。但し、以下に示す実施形態は、本発明の技術思想を具体化するための茸栽培容器及び茸栽培方法を例示するものであって、本発明をこれらに特定することを意図するものではなく、特許請求の範囲に含まれるその他の実施形態のものも等しく適応し得るものである。以下、茸の種類として椎茸の栽培に使用する茸栽培容器及びその茸の栽培方法を説明する。
【００２４】
［参考例］
図１を参照して、本発明の参考例に係る栽培容器（栽培袋）を説明する。なお、図１は本発明の参考例に係る栽培容器（栽培袋）を示し、図１Ａは栽培袋の斜視図、図１Ｂは図１Ａの栽培袋に培地を充填して袋口を封止した状態の斜視図である。
【００２５】
栽培容器１Ａは、図１に示すように、肉薄のフィルム材からなる袋体（以下、単に栽培袋という場合がある）で形成されている。栽培袋１Ａは、所定の長さＬ及び幅長Ｗを有する矩形状の底部１ａと、この底部１ａの外周囲から上方へ所定の高さＨ立設した側壁１ｂ〜１ｅとを有し、側壁の上端に開口１ｆが形成されている。開口１ｆは袋口となり、この袋口の一部が封止部１ｆ'となっている（図１Ｂ参照）。この栽培袋１は、培地が充填される培地充填部（以下、充填部という）Ａとこの充填部Ａの上方にあって空き空間とされる空間部Ｂとに区分されて、空間部Ｂには、図１に示すように、その袋体の壁面にフィルター２Ａが固定される。
【００２６】
袋材には、ポリエチレン、ポリプロピレン、ポリエステルなどの合成樹脂製フィルム或いは生分解性フィルムや光触媒性フィルムが使用され、その肉厚は、例えば１０〜１００μｍである。栽培袋をフィルム材で形成することにより、軽量で扱い易く、安価に簡単に作成できる。なお、この栽培袋の長さＬ、幅長Ｗ及び高さＨは、例えば、Ｌは２００ｍｍ、Ｗは１２０ｍｍ、Ｈは３８２．５ｍｍである。充填部Ａは、底部１ａから所定高さＨ１、空間部Ｂはこの充填部Ａの頂部から高さＨ２に位置し、高さＨ１は、例えば１５０ｍｍ、高さＨ２は、例えば２３２．５ｍｍである。充填部Ａには、おがくず、米糠、ふすまを主成分とする培地、栄養剤及び水が所定の比率で混合された混合材が充填される。さらに、袋体の大きさも上記の寸法に限定されるものでない。
【００２７】
空間部Ｂは、図１に示すように、その袋体の一側壁１ｃ面に、所定大きさの通気孔を穿孔し、この通気孔がフィルター２Ａで塞がれる。フィルター２Ａは、茸を栽培する環境条件に応じて取付け位置が異なるように形成することができる。これらの通気孔は、この通気孔より若干大きいフィルター部材で塞がれる。また、以下、フィルター部材で覆われた通気孔の直径をフィルターの直径という場合がある。
【００２８】
図２を参照して、フィルターのサイズと取付け位置について説明する。なお、図２は図１Ａの側壁面に設けるフィルターの固定位置を示した側面図である。この図のフィルターは、通気孔で示しこの通気孔に装着するこのフィルターは省略されている。
【００２９】
フィルター２Ａは、栽培環境に対応できるようにその取付け位置が違っている。具体的には、茸品種を栽培する場合、培地上面の乾燥を抑制することが可能なように、環境条件に合わせて、フィルターの取付け位置が変更される。
【００３０】
例えば、栽培袋１Ａでは、空間部Ｂにあって上方の封止部１ｆ'から最も下方、すなわち充填部Ａの培地表面からフィルター２Ａの中心までの距離ｈ１が６．７５ｃｍの位置にフィルター２Ａ１、封止部１ｆ'に最も近い位置、すなわち距離ｈ２が１６．７５ｃｍの位置にフィルター２Ａ３、それらの中間位置、すなわち距離ｈ３が１０．７５ｃｍの位置にフィルター２Ａ２を取付ている。各フィルター２Ａ１〜２Ａ３で塞がれる通気孔は、それぞれ所定の半径を有する円形孔からなり、このフィルター２Ａの半径ｒ１〜ｒ３は例えば１７．５ｍｍ（直径３５ｍｍ、面積９６２ｍｍ２）となりすべて同じ大きさのものになっている。
【００３１】
フィルター部材は、雑菌の侵入を阻止し、通気性のある多孔性シートが使用される。例えば、最大孔径０．０２×０．２μｍ〜０．０４×０．４μｍのマイクロポーラスポリプロピレンフィルム（商品名；セルガード、米国セラニーズ社製）を使用する。なお、フィルター部材は、これに限定されるものでなく、各種紙材、不織布、及びフィルム材で形成したものを用いてもよい。
【００３２】
以下、参考例の栽培袋１Ａにかかるフィルターの取付け位置と重量の変化からの水分減少量（率）の実験データを説明する。この水分減少量（率）は培地に含まれる水分の減少量を重量の変化によって求めるもので、水分の減少率の高低により培地の乾燥のしやすさがわかる。なお、図３はフィルター２Ａに関する実験データを示す図である。図４Ａは図３に示す重量の平均値を表したグラフであり、図４Ｂは図３に示す重量の変化率を重量比として表したグラフである。
【００３３】
まず、実験で使用した栽培袋は、上記の参考例の栽培袋１Ａと同じ寸法のものであり、培地を充填したときの重量が約２．５ｋｇになるものを使用する。フィルター２Ａは、直径３５ｍｍ（面積９６２ｍｍ２）のものを使用し、その取付け位置を培地表面からフィルターの中心までの距離を、１６．７５ｃｍ、１４．７５ｃｍ、１２．７５ｃｍ、１０．７５ｃｍ及び６．７５ｃｍの位置にそれぞれ設けたものを使用する。図１、図２に対応させると、培地表面からから最も近いフィルター２Ａ１が６．７５ｃｍであり、最も遠いフィルター２Ａ３が１６．７５ｃｍ、これらの略中央のフィルター２Ａ２が１０．７５ｃｍとなる。なお、従来のフィルターの位置という場合はこのフィルター２Ａ２の１０．７５ｃｍ位置をいうこととする。また、実験の環境条件は、温度２２〜２３℃、湿度４０〜６０％で保たれた室内で行った。この実験は、後述する図５に示す栽培の工程の接種後に行い、最初の計測を１回目として行った。
【００３４】
図４に示す実験データの計測法を説明する。図４は上記直径３５ｍｍ（面積９６２ｍｍ２）の大きさのフィルター２Ａを異なる位置に形成した複数の栽培袋に培地を詰め、その重量の変化を計測したものである。そして、異なる位置にフィルター２Ａを形成した複数の栽培袋１Ａの中から、ランダムに５つ取出し、その重量の計測を行う。この計測を、十日前後の間隔を空けて１回目の計測から複数回（６回）行う。そこで計測した５つの栽培袋の重量の平均値を図４の平均の欄に記し、この平均値のグラフを図５Ａに示す。また、１回目の計測で得られた重量と２回目以降に得られた各重量の比を、各回で計測された重量の結果を初回の重量で除し、その結果を百分率で示した数値を初回の重量を１００％として、図４の重量比の欄に記し、この値のグラフを図５Ｂに示す。なお、この実験では、一度計測した栽培袋は廃棄するものとしている。
【００３５】
図３及び図４に示す実験結果から、フィルターをどの位置に設けても日にちが経過すると培地の重量は減少する傾向にある。そして、その傾向は、フィルターを栽培袋の培地の表面から最も遠い１６．７５ｃｍに形成した場合は、６回目の計測の重量比が９５．０２％と培地の重量の減少が最も少なく、１回目の計測と比べて重量が４．９８％しか減少していない。一方、培地に近づくにつれて培地の重量の減少率が多くなり、最も近い６．７５ｃｍに形成した場合が、６回目の計測の重量比が８９．８９％と最も多くなり、１回目の計測と比べて１０．０％以上も重量が減少したこととなる。これは、フィルターが培地の表面の近くに形成されるほど栽培袋内に蒸発した水分が外気に流れやすくなるためである。
【００３６】
また、従来の位置としている培地からの距離１０．７５ｃｍ及びそれより少し上方の１２．７５ｃｍの位置では、最も下方の６．７５ｃｍに比べれば重量比の減少率は抑えられ、１回目と６回目の計測とでは１０．０％弱の減少率となっている。一方、培地からの距離が１２．７５ｃｍより少し上方の１４．７５ｃｍの位置では、最も上方の１６．７５ｃｍに比べれば、１回目と６回目の計測とでは重量比の減少率は大きくなるが、従来の位置と比べれば減少率が減ることがわかる。そのため、この実験データからは、従来のフィルターの位置である１０．７５ｃｍから下方に設けることは好ましくないことがわかる。一方、従来のフィルターの位置より上方に設けると培地の乾燥を抑制できることがわかり、特に、培地から１４．７５ｃｍより上方へ形成するとさらに乾燥を抑制できることがわかる。
【００３７】
なお、参考例の栽培袋で使用しているのは従来と同じ大きさのフィルター（直径３５ｍｍ、面積９６２ｍｍ２）であるので、従来と同じように栽培袋内の二酸化炭素の排出が可能となる。よって、参考例の栽培袋によれば、従来の大きさのフィルターを使用する場合であっても、乾燥を抑制するためにはフィルターを上方に形成することにより、従来と同様の二酸化炭素を排出させることができるとともに、培地の乾燥をより抑制した茸栽培用容器を提供することができる。このとき、フィルターは培地表面から上方に１４．７５ｃｍの位置に形成するとさらに乾燥を抑制することができる。
【００３８】
そのため、参考例の栽培袋では、栽培環境、特に、乾燥度合いの高低に対応して、異なる位置に形成されたフィルターを備えた栽培袋を選択して使用することにより、良好な栽培環境で茸を栽培することができる。例えば、湿度は四季によっても大幅に変化するが、この環境下であっても、栽培袋容器内の湿度が茸培養にとって過酷な環境となることなく栽培ができる。
【００３９】
以上、参考例に係る茸栽培容器として栽培袋を説明したが、本発明はこれに限定されるものではなく種々変更してもよい。すなわち、栽培容器は栽培袋だけでなく、その他の容器形状のもの、また、フィルターの取付け位置は例示した図２に示したフィルター２Ａ１〜２Ａ３のように３箇所でなくさらに多く区分した箇所、例えば実験で示した位置、さらにそれ以外の箇所であってもよく、さらに、一側壁１ｃだけでなく、他の側壁、例えば対向する側壁１ｅに設けてもよい。対向側壁に設けると、フィルターを装着する通気孔の形成が容易になり、これらの通気孔がフィルターで塞がれることにより、栽培中の換気量を多くすることができる。
【００４０】
また、フィルターで塞ぐ通気孔は円形孔だけでなく、他の形状、例えば楕円形、角形、矩形状などにしてもよい。これらの通気孔は、充填部Ａから開口１ｆへ向かって徐々に大きくして、この通気孔の開口をフィルターで塞ぐようにしてもよい。この場合、通気孔は一側壁面に１個を穿孔することになる。
【００４１】
また、参考例で使用するフィルターは、従来一般的に使用されている大きさのものであれば直径３５ｍｍ（面積９６２ｍｍ２）に限定されることはなく、従来使用されている大きさ、すなわち、直径２６〜４７ｍｍ（面積５３１〜１７３４ｍｍ２）のものも適用することができる。
【００４２】
次に、図４を参照して、この栽培袋を使用して椎茸を栽培する方法を説明する。なお、図４は椎茸栽培の工程図である。
【００４３】
まず、椎茸の栽培環境に合わせて、異なる位置に形成されたフィルター２Ａを備えた栽培袋１Ａを決定する。栽培袋１Ａを決定した後に、以下の工程で椎茸を栽培する。図５に示す工程Ｉにおいて、所定量のおがこに、栄養体として米ぬかを混合して、所定量の水を加えて培地調整を行う。工程IIで調整された培地を栽培袋１Ａの充填部Ａまで充填する。この栽培袋１Ａの上端の開口１ｆを仮止めして、栽培袋１Ａごと高圧釜に入れて殺菌又は滅菌する（工程III）。次に殺菌をした後に冷却する（工程IV）。その後、クリーンルームへ搬送して、このクリーンルーム内で栽培袋１Ａの上端開口１ｆを開放して椎茸の種菌を接種する（工程Ｖ）。この接種により、椎茸の種菌は、栽培袋の開口１ｆから培地の中へ接種される。
【００４４】
次いで、所定の培養室へ搬送し、この培養室で初期培養を行う（工程VI）。この初期培養では、光を照射することなく略暗黒の状態で菌糸培養に適した環境、例えば、室温１８〜２０℃と湿度６０％に保持して培地を培養させる。この期間は略３０日程度である。その後の熟成培養では、熟成培養に適した環境、例えば室温２０〜２３℃と湿度６０％に保持して培地を熟成させる。その期間は略３０日程度である。その後、熟成培養を行う（工程VII）。この熟成培養では、熟成培養に適した環境、特に所定の光を照射して、略６０日〜７０日掛けて培地に栄養蓄積を行う。
【００４５】
この熟成培養が終了した後に、栽培袋１Ａを取外して茸の発生をさせる（工程VIII）。この発生工程では、原基形成が促進された上面からいち早く最初の茸が発生し育成される。すなわち、初回の発生は、培地の表面から発生する。その初回の収穫量は、全体の収穫量の約半分以上となる。なお、この工程において、栽培袋が除去された直後は、栽培袋で密着していた培地の表面は白っぽい状態となっているが、光の照射によって徐々に褐色化して茸が発生する。これらの発生は２回目、３回目以降のものとなり、回が進むにしたがって収穫量が減少する。
【００４６】
この栽培袋を使用した椎茸栽培方法は、上面を乾燥させることなく、初回の発生で椎茸の発生部位が全面となっての椎茸を効率よく、発生・育成することが可能になり、品質の高い椎茸を初回で全収穫量の５０％以上が収穫できる。
【００４７】
［変形例］
次に、参考例の栽培袋の変形例を説明する。変形例の栽培袋１Ａ'は、参考例の栽培袋１Ａに比べて大きさの小さい小型の栽培袋１Ａ'を使用する場合を説明する。なお、変形例の栽培袋１Ａ'は、参考例の栽培袋１Ａと比べて、栽培袋の大きさが異なるのみなので、参考例の栽培容器と共通する構成については共通の符号を付し、詳細な説明は省略する。
【００４８】
変形例の小型の栽培袋１Ａ'は、図６に示すように参考例の栽培袋１Ａと比べて寸法が小さいものとしている。これは、参考例の栽培袋１Ａに培地を充填したときの重量が約２．５ｋｇ〜２．８ｋｇであるのに対して、変形例の小型の栽培袋１Ａ'は約１．０ｋｇ〜１．３ｋｇとなり、１／２〜１／３程度の大きさのものである。この小型の栽培袋１Ａ'の長さＬ、幅長Ｗ及び高さＨは、例えば、Ｌは１２５ｍｍ、Ｗは１００ｍｍ、Ｈは３２０ｍｍである。充填部Ａは、底部１ａから所定高さＨ１、空間部Ｂはこの充填部Ａの頂部から高さＨ２に位置し、高さＨ１は、例えば１５０ｍｍ、高さＨ２は、例えば１７０ｍｍである。
【００４９】
この小型の栽培袋１Ａ'は、大きい（従来の）栽培袋茸に比べて、充填される培地の量が少ないため、全体の水分量も少なくなっている。そのため、従来と同じ大きさのフィルター、すなわち参考例で示したようなフィルターでは培地の乾燥がより進むことになる。
【００５０】
しかし、乾燥を抑制するためにフィルターの大きさを小さくすると栽培袋内の二酸化炭素の循環も抑制されてしまうことになり、特に、小型の栽培袋では、その空間部Ｂも狭くなるため、二酸化炭素が充満しやすくなり、茸培養にとって過酷な環境となりやすくなる。
【００５１】
そのため、変形例の小型の栽培袋１Ａ'では、小型の栽培袋１Ａ'に対して、フィルターは従来の大きさのものを使用するが、参考例と同様にフィルター２Ａを従来より上方に形成する。このようにすることで、従来と同じような二酸化炭素の排出を行うことができると共に、培地の乾燥をより抑制することができる。
【００５２】
なお、図６では、小型の栽培袋の底面形状を矩形状のものとしているが、これに限らず、図７に示すような円形の形状としてもよい。このとき、図７Ａに示す小型の栽培袋１Ａ"の底面の直径Ｄは例えば１２５ｍｍである。このような形状としても、変形例１の栽培袋と同様の発明の効果を奏することができる。
【００５３】
なお、茸栽培方法は参考例と共通するので詳細な説明は省略する。
【００５４】
［実施形態］
参考例の栽培袋では、フィルターの位置を栽培環境に合わせて使用する場合を説明したが、実施形態の栽培袋では、フィルターの位置だけでなくフィルターの大きさも栽培環境に合わせて使用する場合を説明する。なお、実施形態の栽培袋は、参考例の栽培袋と比べて形成されるフィルターの位置及び大きさが変わるのみなので、参考例の栽培袋と同じ構成のものは同一の符号を付し、詳細な説明は省略する。
【００５５】
図８を参照して、本発明の実施形態に係る栽培袋１Ｂを説明する。なお、図８は本発明の実施形態に係る栽培袋を示し、図８Ａは栽培袋の斜視図、図８Ｂは図８Ａの栽培袋に培地を充填して袋口を封止した状態の斜視図である。
【００５６】
栽培袋１Ｂは、図８に示すように、肉薄のフィルム材からなる袋体で形成されている。栽培袋１Ｂは、所定の長さＬ及び幅長Ｗを有する矩形状の底部１ａと、この底部１ａの外周囲から上方へ所定の高さＨ立設した側壁１ｂ〜１ｅとを有し、側壁の上端に開口１ｆが形成されている。開口１ｆは袋口となり、この袋口の一部が封止部１ｆ'となっている（図８Ｂ参照）。この栽培袋１Ｂは、培地が充填される充填部Ａとこの充填部Ａの上方にあって空き空間とされる空間部Ｂとに区分されて、空間部Ｂには、図８に示すように、その袋体の壁面にフィルター２Ｂが固定される。
【００５７】
袋材には、ポリエチレン、ポリプロピレン、ポリエステルなどの合成樹脂製フィルム或いは生分解性フィルムや光触媒性フィルムが使用され、その肉厚は、例えば１０〜１００μｍである。栽培袋をフィルム材で形成することにより、軽量で扱い易く、安価に簡単に作成できる。なお、この栽培袋の長さＬ、幅長Ｗ及び高さＨは、例えば、Ｌは２００ｍｍ、Ｗは１２０ｍｍ、Ｈは３８２．５ｍｍである。充填部Ａは、底部１ａから所定高さＨ１、空間部Ｂはこの充填部Ａの頂部から高さＨ２に位置し、高さＨ１は、例えば１５０ｍｍ、高さＨ２は、例えば２３２．５ｍｍである。充填部Ａには、おがくず、米糠、ふすまを主成分とする培地、栄養剤及び水が所定の比率で混合された混合材が充填される。さらに、袋体の大きさも上記の寸法に限定されるものでない。
【００５８】
空間部Ｂは、図８に示すように、その袋体の一側壁１ｃ面に、所定大きさの通気孔を穿孔し、この通気孔がフィルター２Ｂで塞がれる。フィルター２Ｂは、その取付け位置によってそのサイズが異なっている。これらの通気孔は、この通気孔より若干大きいフィルター部材で塞がれる。また、参考例と同様に、フィルター部材で覆われた通気孔の直径をフィルターの直径という場合がある。
【００５９】
図９を参照して、フィルターのサイズと取付け位置について説明する。なお、図９は図８Ａの側壁面に設けるフィルターの固定位置を示した側面図である。この図のフィルターは、通気孔で示しこの通気孔に装着するこのフィルターは省略されている。図９は異なる大きさのフィルターを設けた栽培袋の斜視図である。
【００６０】
フィルター２Ｂは、栽培環境に対応にできるようにそのサイズを異ならせ、且つ、その取付け位置が違っている。具体的には、栽培環境における環境温度が高くなるに従ってその面積が大きく、しかも、充填部から離れた位置に設けられている。すなわち、栽培袋１Ｂは、空間部Ｂにあって上方の封止部から最も下方、すなわち充填部Ａへ届く位置に最もサイズの小さいフィルター２Ｂ１、封止部に最も近い位置に最もサイズの大きいフィルター２Ｂ３、それらの中間位置に略中間サイズのフィルター２Ｂ２を取付ける。各フィルター２Ｂ１〜２Ｂ３で塞がれる通気孔は、それぞれ所定の半径を有する円形孔で形成されている。
【００６１】
フィルター部材は、雑菌の侵入を阻止し、通気性のある多孔性シートが使用される。例えば、最大孔径０．０２×０．２μｍ〜０．０４×０．４μｍのマイクロポーラスポリプロピレンフィルム（商品名；セルガード、米国セラニーズ社製）を使用する。なお、フィルター部材は、これに限定されるものでなく、各種紙材、不織布、及びフィルム材で形成したものを用いてもよい。
【００６２】
栽培袋１Ｂは、図１０Ａ〜図１０Ｃに示すように、フィルター２Ｂの取付け位置及びその大きさにより３種類の栽培袋１Ｂ１〜１Ｂ３となっている。このうち、栽培袋１Ｂ１は、栽培環境温度が比較的低い、例えば１５〜１６℃未満で使用するのに好適なものであり、図１０Ａに示すように、フィルター２Ｂを充填部Ａに近い箇所に位置し、その面積は上方に設けるフィルター２Ｂ２より小さくしたものである。この栽培袋１Ｂ１の寸法は、通気孔の中心の線上（充填部と略並行になる線）の高さｈ１は２．０〜７．０ｃｍであり、フィルター２Ｂ１の面積（通気孔）の半径ｒ１が１０〜１７．５ｍｍ（面積３１４〜９６２ｍｍ２）となっている。高さｈ１の２．０〜７．０ｃｍは、袋体の大きさに拘わらず、上記環境温度での栽培に適合する値として実験で確認されたものである。また、半径ｒ１の１０〜１７．５ｍｍ（面積３１４〜９６２ｍｍ２）は、上記袋体の大きさで上記栽培環境で適合する値となっている。
【００６３】
この栽培袋１Ｂ１は、フィルター２Ｂ１が充填部Ａから最も近い箇所にあるので、栽培環境温度が比較的低い環境下における原基形成に対応して袋体内の二酸化炭素の放出及び酸素の供給が少なくスムーズになり、良好な茸の育成及び高品質の栽培ができる。
【００６４】
環境温度が高く、例えば１５〜１６（２０未満）℃を超えると、原基形成が活発になり、二酸化炭素の排出量が多くなり、一方で酸素の供給量の増大が必要になるので、フィルターの面積を大きくすると共に、その取付け位置を充填部Ａからさらに離した箇所にする。図１０Ｂの栽培袋１Ｂ２は、この環境温度下で使用するのに好適なものである。この栽培袋１Ｂ２は、フィルター２Ｂ２は培地充填部Ａから離れた箇所に位置し、その面積は下方のフィルター２Ｂ１より大きくなっている。この栽培袋１Ｂ２の寸法では、高さｈ２はｈ１（２．０〜７ｃｍ）より上方にあって、フィルター２Ｂ２の面積、半径ｒ２が半径ｒ１（１０〜１７．５ｍｍ、面積３１４〜９６２ｍｍ２）より大きい、例えば、２０ｍｍ（面積１２５６ｍｍ２）となっている。
【００６５】
環境温度がさらに高く、例えば２０〜２５℃を超えると、原基形成がさらに活発になり、二酸化炭素の排出量がさらに多くなり、一方で酸素の供給量の増大が必要になるので、フィルターの面積を大きくすると共に、その取付け位置を充填部Ａからさらに離した箇所にする。図１０Ｃの栽培袋１Ｂ３は、フィルター２Ｂ３を充填部Ａからさらに離れた箇所に位置し、その面積は下方のフィルター２Ｂ２より大きくなっている。この栽培袋１Ｂ３の寸法では、高さｈ３はｈ２より上方にあって、フィルター２Ｂ３の面積、半径ｒ３が半径ｒ２（２０ｍｍ、面積１２５６ｍｍ２）より大きい、例えば、２３ｍｍ（面積１６６１ｍｍ２）以上となっている。
【００６６】
栽培袋１Ｂ１〜１Ｂ３は、フィルターがその大きさ及び取付け位置が異なっているので、栽培環境、特に、環境温度の高低に対応して、選択して使用することにより、良好な栽培環境で茸を栽培することができる。例えば、外気温は四季によっても大幅に変化し、夏期においては、日中の最高温度が２０〜２５℃或いはこの温度を超える日が何日も続くことがあるが、この高温環境下においては、原基形成が低温時に比べてより活発になり、それにより大量の二酸化炭素及び熱が栽培袋内で発生するが、この環境温度下であっても、栽培袋内が茸培養にとって過酷な環境となることなく栽培ができる。
【００６７】
以下、これら実施形態にかかるフィルターの取付け位置と重量の変化からの水分減少量（率）の実験データを説明する。ここでは、直径が大小異なる大きさのフィルターを２種類用い、それらを栽培袋の異なる高さの位置に形成した場合についての実験を行っている。なお、図１１は大きいフィルター（直径５０ｍｍ、面積１９６３ｍｍ２）に関する実験データを示す図である。図１２Ａは図１１に示す重量の平均値を表したグラフであり、図１２Ｂは図１１に示す重量の変化率を重量比として表したグラフである。
【００６８】
ここで示す実施形態の栽培袋のフィルター２Ｂを、最も小さいフィルター２Ｂ１の半径を１７．５ｍｍ（直径３５ｍｍ、面積９６２ｍｍ２）とし、最も大きいフィルター２Ｂ３の半径を２５ｍｍ（直径５０ｍｍ、面積１９６３ｍｍ２）とした場合であって、それぞれのフィルターについてその取付け位置を、培地表面から上方へ向かってフィルターの中心までの距離を１６．７５ｃｍ、１４．７５ｃｍ、１２．７５ｃｍ、１０．７５ｃｍ及び６．７５ｃｍの位置に設けたものを使用する。
【００６９】
また、その取付け位置を図８、図９に対応させると、培地表面からの距離が最も近いフィルター２Ｂ１の距離ｈ１が６．７５ｃｍであり、最も遠いフィルター２Ｂ３の距離ｈ３が１６．７５ｃｍとなり、これらの略中央のフィルター２Ｂ２の距離ｈ２を１０．７５ｃｍとしている。なお、従来のフィルターの位置という場合はこのフィルター２Ｂ２の１０．７５ｃｍ位置をいうこととする。
【００７０】
なお、直径３５ｍｍ（面積９６２ｍｍ２）のフィルターの実験データは参考例のものと同様であるので、図３及び図４を適宜引用して説明する。
【００７１】
図１１に示す直径５０ｍｍ（面積１９６３ｍｍ２）のフィルターの実験データの計測法は、上記参考例の３５ｍｍ（面積９６２ｍｍ２）のフィルターで行ったもの同様であるので、説明を省略する。
【００７２】
実験結果から、直径５０ｍｍ（面積１９６３ｍｍ２）のフィルターを用いた場合では、フィルターをどの位置に設けても日にちが経過すると培地の重量は減少する傾向にある。そして、その傾向は、フィルターを栽培袋の培地の表面から最も遠い１６．７５ｃｍに形成した場合は、６回目の計測で重量比が９４．４８％と培地の重量の減少が最も少なく、１回目の計測と比べて重量が５．５２％しか減少していない。一方、培地に近づくにつれて培地の重量の減少が多くなり、最も近い６．７５ｃｍに形成した場合が、６回目の計測の重量比が８４．８３％と最も多くなり、１回目の計測と比べて１５．０％以上も重量が減少したこととなる。これは、フィルターが培地の表面の近くに形成されるほど栽培袋内に蒸発した水分が外気に流れやすくなるためである。
【００７３】
また、従来の位置としている培地からの距離１０．７５ｃｍの位置では、最も下方の６．７５ｃｍに比べると、１回目と６回目の計測とでは重量比の減少率は略同じとなり、大きな直径のフィルターを従来の位置に形成することは、培地の乾燥をしやすくさせるので好ましくないことがわかる。
【００７４】
一方、培地からの距離を従来の位置から上方に設けるほど、重量比の減少率は小さくなることがわかり、特に培地から１４．７５ｃｍの位置の重量比は、参考例の直径３５ｍｍ（面積９６２ｍｍ２）のフィルターで計測した、従来の培地からの距離１０．７５ｃｍと略同じ重量の減少率となっている。すなわち、直径５０ｍｍ（面積１９６３ｍｍ２）の大きな径のフィルターを用いる場合は、培地から１４．７５ｃｍの位置に形成すれば、従来の直径３５ｍｍ（面積９６２ｍｍ２）のフィルターを用いた場合と同様の培地表面の乾燥度合いが得られることがわかる。このことから、従来より大きい直径５０ｍｍ（面積１９６３ｍｍ２）のフィルターを用いる場合は、培地から１４．７５ｃｍ以上上方に形成するとよいことがわかる。なお、直径３５ｍｍ（面積９６２ｍｍ２）と直径５０ｍｍ（面積１９６３ｍｍ２）とでは、培地からの距離が１６．７５ｃｍの最も高い位置に形成した場合は、どちらの重量の減少率も略同じになることがわかる。
【００７５】
さらに、この実験から、乾燥を抑制するだけであれば、上記参考例の茸栽培容器のように、フィルターを従来の位置より上方に形成することで対応することが可能である。しかし、活性の高い茸品種を栽培する場合や栽培環境が高温環境化にある場合では、栽培容器内は、多くの二酸化炭素が充満することとなり、栽培容器内は茸培養にとって過酷な状況となるため、その循環がスムーズに行われる必要がある。これに対し、従来の位置に従来より大きい直径のフィルター例えば直径５０ｍｍ（面積１９６３ｍｍ２）のフィルターを形成してしまうと、二酸化炭素の循環はスムーズになるが、培地表面が乾燥しやすくなってしまう。
【００７６】
そこで、実施形態の茸栽培容器では、フィルターの径を上方に行くほど大きくなるようにしている。上述した実験データからもわかるように、直径５０ｍｍの大きなフィルターであっても、上方に形成することで、培地の乾燥を抑制することが可能である。しかも、従来と同じフィルター（直径３５ｍｍ、培地からの距離１０．７５ｃｍ）と同じ重量比の減少率を得るには、直径５０ｍｍのフィルターでは、培地からの距離を１４．７５ｃｍまで上方に形成すれば可能であることもわかった。そのため、この大きさのフィルターを使用して従来よりも乾燥を抑制するためには、フィルターを１４．７５ｃｍより上方に形成すればよいことがわかる。
【００７７】
なお、フィルターが形成される位置を培地に近づける場合には、従来のフィルターの大きさよりも小さい大きさのフィルターを形成すればよい。すなわち、培地からフィルターの中心までの距離が従来の位置の１０．７５ｃｍより低くするような場合は、フィルターの大きさを直径３５ｍｍ（面積９６２ｍｍ２）より小さいものとすれば、乾燥を抑制することができる。
【００７８】
栽培袋１Ｂ１〜１Ｂ３は、フィルターがその大きさ及び取付け位置が異なっているので、栽培環境、特に、環境温度の高低に対応して、選択して使用することにより、良好な栽培環境で茸を栽培することができる。例えば、外気温は四季によっても大幅に変化し、夏期においては、日中の最高温度が２０〜２５℃或いはこの温度を超える日が何日も続くことがあるが、この高温環境下においては、原基形成が低温時に比べてより活発になり、それにより大量の二酸化炭素及び熱が栽培袋内で発生するが、この環境温度下であっても、栽培袋内が茸培養にとって過酷な環境となることなく栽培ができる。
【００７９】
以上、実施形態に係る栽培容器として栽培袋を説明したが、本発明はこれに限定されるものではなく種々変更してもよい。すなわち、栽培容器は栽培袋だけでなく、その他の容器形状のもの、また、フィルターの取付け位置は栽培袋１Ｂ１〜１Ｂ３のように３箇所でなくさらに多く区分した箇所であってもよい。さらに、一側壁１ｃだけでなく、他の側壁、例えば対向する側壁１ｅに設けてもよい。対向側壁に設けると、フィルターを装着する通気孔の形成が容易になり、これらの通気孔がフィルターで塞がれることにより、栽培中の換気量を多くすることができる。
【００８０】
また、フィルターで塞ぐ通気孔は円形孔だけでなく、他の形状、例えば楕円形、角形、矩形状などにしてもよい。これらの通気孔は、充填部Ａから開口１ｆへ向かって徐々に大きくして、この通気孔の開口をフィルターで塞ぐようにしてもよい。この場合、通気孔は一側壁面に１個を穿孔することになる。
【００８１】
次に、図１３を参照して、実施形態の栽培袋１Ｂを使用して椎茸を栽培する方法を説明する。なお、図１３は椎茸栽培の工程図である。
【００８２】
まず、椎茸の栽培環境に合わせて、栽培袋１Ｂ１〜１Ｂ３を決定する。その栽培袋は、栽培環境温度が比較的低い、例えば２０℃以下では栽培袋１Ｂ１、それ以上の温度では栽培袋１Ｂ２、さらに高い温度では栽培袋１Ｂ３を使用する。栽培袋１Ｂを決定した後に、以下の工程で椎茸を栽培する。図１３に示す工程Ｉにおいて、所定量のおがこに、栄養体として米ぬかを混合して、所定量の水を加えて培地調整を行う。工程IIで調整された培地を栽培袋１の充填部Ａまで充填する。この栽培袋１Ｂの上端の開口１ｆを仮止めして、栽培袋１Ｂごと高圧釜に入れて殺菌又は滅菌する（工程III）。次に殺菌をした後に冷却する（工程IV）。その後、クリーンルームへ搬送して、このクリーンルーム内で栽培袋１Ｂの上端開口１ｆを開放して椎茸の種菌を接種する（工程Ｖ）。この接種により、椎茸の種菌は、栽培袋の開口１ｆから培地の中へ接種される。
【００８３】
次いで、所定の培養室へ搬送し、この培養室で初期培養を行う（工程VI）。この初期培養では、光を照射することなく略暗黒の状態で菌糸培養に適した環境、例えば、室温１８〜２０℃と湿度６０％に保持して培地を培養させる。この期間は略３０日程度である。その後の熟成培養では、熟成培養に適した環境、例えば室温２０〜２３℃と湿度６０％に保持して培地を熟成させる。その期間は略３０日程度である。その後、熟成培養を行う（工程VII）。この熟成培養では、熟成培養に適した環境、特に所定の光を照射して、略６０日〜７０日掛けて培地に栄養蓄積を行う。
【００８４】
この熟成培養が終了した後に、栽培袋１を取外して茸の発生をさせる（工程VIII）。この発生工程では、原基形成が促進された上面からいち早く最初の茸が発生し育成される。すなわち、初回の発生は、培地の表面から発生する。その初回の収穫量は、全体の収穫量の約半分以上となる。なお、この工程において、栽培袋が除去された直後は、栽培袋で密着していた培地の表面は白っぽい状態となっているが、光の照射によって徐々に褐色化して茸が発生する。これらの発生は２回目、３回目以降のものとなり、回が進むにしたがって収穫量が減少する。
【００８５】
この栽培袋を使用した椎茸栽培方法は、上面を乾燥させることなく、初回の発生で椎茸の発生部位が全面となっての椎茸を効率よく、発生・育成することが可能になり、品質の高い椎茸を初回で全収穫量の５０％以上が収穫できる。
【符号の説明】
【００８６】
１Ａ、１Ａ'、１Ａ"、１Ｂ    栽培袋（栽培容器）
１ｆ    開口
２Ａ，２Ｂ    フィルター
Ａ                培地充填部
Ｂ                空間部
【図１】
2015006208.tif 000003
【図２】
2015006208.tif 000004
【図３】
2015006208.tif 000005
【図４】
2015006208.tif 000006
【図５】
2015006208.tif 000007
【図６】
2015006208.tif 000008
【図７】
2015006208.tif 000009
【図８】
2015006208.tif 000010
【図９】
2015006208.tif 000011
【図１０】
2015006208.tif 000012
【図１１】
2015006208.tif 000013
【図１２】
2015006208.tif 000014
【図１３】
2015006208.tif 000015
【図１４】
2015006208.tif 000016